(57)【要約】【課題】体に運動機能障害を有する人や老齢のため筋力が衰えた人などが便器等に着座したり、便器等から立ち上がったりするときに、これらの人に安全で確実な動作補助手段となる、補助手摺を提供する。【解決手段】補助手摺４は、便器１の着座部１ａに対してほぼ水平方向に延在する第１の手摺部５と、着座部１ａに対して上下方向に延在する第２の手摺部６とを有する。第１の手摺部５の前端部は、便器１の着座部１ａの側に屈曲された屈曲部１２を有し、屈曲部１２は、全体として便器１の着座部１ａの方向に屈曲している。第１の手摺部５と第２の手摺部６は、金属製の円形管材７の周面に樹脂層８を被覆して、全体として楕円形の断面形状を有する管状部材によって構成されている。使用者が便座１ａから立ち上がるときには、手摺部１の屈曲部１２を掴んで体を前方に引き出し、その後、手摺部６を掴んで立ち上がることができる。屈曲部１２は使用者の前方に突出しているから、使用者が屈曲部１２を掴んで便座１ａから離れる動作は容易である。【選択図】図１
2005111114.tif 000002
【特許請求の範囲】
【請求項１】
着座部付近に設置される補助手摺において、前記補助手摺は、ほぼ水平方向に延在する第１の手摺部と、上下方向に延在する第２の手摺部とを有し、前記第１の手摺部の前端部を前記着座部側に屈曲させて屈曲部を形成し、前記第２の手摺部を前記屈曲部に連結したことを特徴とする、補助手摺。
【請求項２】
請求項１に記載の補助手摺において、前記第１の手摺部と前記第２の手摺部のいずれか一方又は双方に扁平部を形成したことを特徴とする、前記補助手摺。
【請求項３】
請求項１又は２に記載の補助手摺において、前記補助手摺は、更に、上下方向に延在する第３の手摺部を有し、前記第３の手摺部を前記第１の手摺部の中間部分に連結したことを特徴とする、前記補助手摺。
【請求項４】
請求項３に記載の補助手摺において、前記第３の手摺部に扁平部を形成したことを特徴とする、前記補助手摺。
【請求項５】
請求項１乃至４のうちのいずれか一項に記載の補助手摺において、前記第２の手摺部と前記第１の手摺部とを前記第２の手摺部の軸を中心に回転可能に連結したことを特徴とする、前記補助手摺。
【請求項６】
請求項１乃至５のうちのいずれか一項に記載の補助手摺において、前記第１の手摺部の前端部を上下方向に湾曲させることにより、前記第１の手摺部は全体としてＵ字形をなすことを特徴とする、前記補助手摺。
【発明の詳細な説明】
【技術分野】
【０００１】
本発明は、体の運動機能に障害を有する使用者の種々の動作を補助するため、建築物等に設置される補助手摺に関するものである。
【背景技術】
【０００２】
体に片麻痺等の運動機能障害を有する人や老齢のため筋力が衰えた人などが便器を使用する場合、便器に対する立ち座り動作や着衣の脱着動作に不自由を生じる場合がある。例えば、片方の手足に運動機能障害を有する人が便器に着座するときや便器から立ち上がるときには、一方の手足のみで自己の体重を支えなければならない。また、老齢等のために足腰の筋力が衰えた人が、介護者の補助を得ることなく、便器に対して安全に立ち座り動作をするためには、自分の腕力によって自己の体重を支えなければならない場合がある。更に、このような運動機能障害を有する人の中には、便器に着座している間も、自己の体勢を維持するための補助具が必要な場合がある。
【０００３】
特許文献１は、トイレットペーパーの予備品等を載置するための棚板としても兼用でき、また高齢者や身障者が便器に座ったり、便器から立ち上がったりするときの補助具としても利用でき、更には便器使用中の肘掛としても使用でき、健常者にとっては便器使用に際する挙動に支障をきたすことのない特殊形状の棚板兼用の手摺を開示する。この手摺は、平板状の手摺本体の壁面側に、指を差し入れるための開口部を形成すると共に、手摺本体の室内側で且つ便器側に向けて幅が狭くなる領域を設けたことを特徴とする、棚板兼用の手摺である。
特許文献２は、着座時における安全な身体保持および着座動作時および起立動作時における確実で負担の少ない身体移動と安全な身体保持が可能であり、動作時に使用者の生活習慣や体力や障害の程度によって多様な使用方法を採用することが可能である建物用手摺を開示する。この建物用手摺は肘掛板部と把持棒部とを有する。肘掛板部は、肘を載置した状態で掌で掴みうる滑らかな縁が巾方向に延びる前端縁を有し、また、把持棒部は、肘掛板部と壁面との間に延在し、その下方把持部が肘掛板部上に肘を載置した状態で妨害なしに肘掛板部の前端縁を掌で掴むことができると同時に、この前端縁を掴んだ肘の上下方向運動が可能な動作空間を保持し、更に、その上方把持部が室内側の突出を制限するように構成されている。
【特許文献１】特開２０００−１１６５７３号公報
【特許文献２】特開２００１−６１７１０号公報
【発明の開示】
【発明が解決しようとする課題】
【０００４】
しかしながら、特許文献１、２に開示された手摺は、いずれも、手摺の肘掛を構成する水平部分と手摺の握り部を構成する垂直部分との間に連続性を持たせることができないから、使用者が便器に対して立ち座りをするときに、使用者は手摺を握った手を握り部と肘掛部との間で連続的に移動させることができない。このため、使用者の立ち座り動作が不安定になる場合がある。また、特許文献１、２に開示された手摺は、いずれも、手摺の水平部分が板状部材によって構成されているから、使用者が着衣を脱着するとき、手摺によって体の側面を十分に保持することができない。
本発明の目的は、体に運動機能障害を有する人や老齢のため筋力が衰えた人などが便器等に着座したり、便器等から立ち上がったりするときに、これらの人に安全で確実な動作補助手段となり、また、これらの人が着衣の脱着等をするときには、体の姿勢を保持するための手段としても機能する、補助手摺を提供することにある。
【課題を解決するための手段】
【０００５】
本発明は、着座部付近に設置される補助手摺において、前記補助手摺は、前記着座部に対してほぼ水平方向に延在する第１の手摺部と、前記着座部に対して上下方向に延在する第２の手摺部とを有し、前記第１の手摺部の前端部を前記着座部側に屈曲させて屈曲部を形成し、前記第２の手摺部を前記屈曲部に連結したことを特徴とする。第１の手摺部に形成した屈曲部は着座部側に屈曲しているから、使用者は、着座部に着座する際及び着座部から立ち上がる際に、この屈曲部とこの屈曲部に連結された第２の手摺部とを利用して、安全に立ち座りの動作を行なうことができる。更に、使用者は、着座前及び着座後に、この屈曲部にもたれることにより、また、必要な場合には、この屈曲部に連結された第２の手摺部にもたれることにより、その姿勢を容易に保持することができる。
【０００６】
本発明の補助手摺において、前記第１の手摺部と前記第２の手摺部のいずれか一方又は双方に扁平部を形成することができる。この扁平部は、使用者の手と補助手摺との接触面積を増加させ、滑りを防止すると共に掌に対する圧力を減少させるという機能を果たす。
【０００７】
本発明の補助手摺において、前記着座部に対して上下方向に延在する第３の手摺部を設けることができる。この第３の手摺部を第１の手摺部の中間部分に連結すれば、使用者は、着座前及び着座後に、その上体を第２の手摺部と第３の手摺部の間に挿入し、その姿勢を確実に保持することができる。また、第３の手摺部を着座部の近傍に配置すれば、着座した使用者は第３の手摺部を利用して着座部から直接上方へ立ち上がることができる。
【０００８】
本発明の補助手摺において、前記第３の手摺部に扁平部を形成すれば、この扁平部は、使用者の手と補助手摺との接触面積を増加させ、滑りを防止すると共に掌に対する圧力を減少させるという機能を果たす。
【０００９】
本発明の補助手摺において、前記第２の手摺部と前記第１の手摺部とを前記水平方向に回転可能に連結すれば、第１及び第２の手摺部を壁面等に設置する作業が容易になる。
【００１０】
そして、本発明の補助手摺は、第１の手摺部の前端部を上下方向に湾曲させることにより、第１の手摺部の形状を全体としてＵ字形にすることができる。第１の手摺部をこのようなＵ字形状にすると、第１の手摺部を互いに平行に延在する上下２段の手摺部にすることができる。
【発明の効果】
【００１１】
本発明の補助手摺によれば、第１の手摺部に形成した屈曲部は着座部側に屈曲しているから、使用者は、着座部に着座する際及び着座部から立ち上がる際に、この屈曲部とこの屈曲部に連結された第２の手摺部とに掴まりながら滑らかな動作で着座することが出来ると共に、この屈曲部とこの屈曲部に連結された第２の手摺部に体を引き寄せることにより、着座部から容易に立ち上がることができる。
【００１２】
そして、使用者は、着座前及び着座後に、この屈曲部にもたれることにより、また、必要な場合には、この屈曲部に連結された第２の手摺部にもたれることにより、その姿勢を保持し、着衣の脱着を容易に行なうことができる。
【００１３】
また、第１の手摺部と第２の手摺部のいずれか一方又は双方に扁平部を形成すれば、この扁平部により使用者の手と補助手摺との接触面積を増加させ、滑りを防止することができると共に、手摺部を把持したとき掌に対する圧力を減少させ、使用者に痛みを感じさせないという利点がある。
【００１４】
更に、着座部に対して上下方向に延在する第３の手摺部を設け、この第３の手摺部を第１の手摺部の中間部分に連結し、第２の手摺部と第３の手摺部の間に空間部を形成すれば、使用者は、着座前及び着座後に、その上体を第２の手摺部と第３の手摺部の間の空間部に挿入することにより、その姿勢を確実に保持することができる。換言すると、使用者の上体が第２の手摺部と第３の手摺部の間の空間部に挿入されると、使用者の前方への傾倒は第２の手摺部によって防止され、また、使用者の後方への傾倒は第３の手摺部によって防止される。したがって、使用者は、手摺に掴まることなく、両手を使用して着衣の脱着を行なうことができる。更に、第３の手摺部を着座部の近傍に配置すれば、着座した使用者は、第３の手摺部に掴まることにより、着座部から直接上方へ立ち上がることも可能である。
【００１５】
この第３の手摺部に前述のような扁平部を形成すると、この扁平部により使用者の手と補助手摺との接触面積を増加させ、滑りを防止することができると共に、手摺部を把持したとき掌に対する圧力を減少させ、使用者に痛みを感じさせないという利点がある。
【００１６】
また、第２の手摺部と第１の手摺部とを前記水平方向に回転可能に連結し、また、第３の手摺部と第１の手摺部とを水平方向に回転可能に連結すれば、第１の手摺部の前端部に形成した屈曲部の曲げ角度の変化や、壁面の不陸に対応して、本発明の補助手摺の取付け作業を容易にすることができる。
【００１７】
そして、本発明の補助手摺は、第１の手摺部の前端部を上下方向に湾曲させることにより、第１の手摺部の形状を全体としてＵ字形に形成すれば、互いに平行に延在する上下２段の手摺部によって第１の手摺部を構成することができるから、使用者が第１の手摺部に寄りかかったときには、使用者の体はこの上下２段の手摺部によって確実に保持されると共に、上下２段の手摺部を形成することにより第１の手摺部の強度を向上させることができる。また、第１の手摺部の前端部は、上述のように、着座部側に屈曲しているが、第１の手摺部の前端部を上下方向に湾曲させて、第１の手摺部を全体としてＵ字形に湾曲させることにより、このように湾曲した前端部に使用者の衣服が引っ掛かるという事態を未然に防止することができる。更に、使用者がこのように湾曲した第１の手摺部の前端部を掴むに際し、Ｕ字形に湾曲した先端部の把持位置を種々に選択することができるばかりでなく、上下２段に並設された第１の手摺部の上段の手摺部も下段の手摺部も選択的に使用することができる。したがって、全体としてＵ字形をなす第１の手摺部を設けることにより、使用者は多様な使用方法を選択することができる。
【発明を実施するための最良の形態】
【００１８】
着座部に対してほぼ水平方向に延在する第１の手摺部と、着座部に対して上下方向に延在する第２の手摺部とを有する、補助手摺であって、第１の手摺部の前端部を着座部側に屈曲させて屈曲部を形成し、この屈曲部に第２の手摺部を連結することにより、使用者は、着座部に着座する際及び着座部から立ち上がる際に、この屈曲部とこの屈曲部に連結された第２の手摺部とを利用して、安全に立ち座りの動作を行なうことができる。
【実施例１】
【００１９】
図１乃至図１０は、本発明の補助手摺の第１実施例を示す。便器１を取付けたトイレブース２の壁面３に補助手摺４が設置されている。補助手摺４は、便器１の着座部１ａに対してほぼ水平方向に延在する第１の手摺部５と、着座部１ａに対して上下方向に延在する第２の手摺部６とを有する。この実施例では、第２の手摺部６はほぼ垂直上方に延在している。第１の手摺部５と第２の手摺部６は、図８及び図９に示すように、金属製の円形管材７の周面に樹脂層８を被覆して、全体として楕円形の断面形状を有する管状部材によって構成されている。第１の手摺部５は、この環状部材をＵ字形に湾曲させて形成し、その側面に取付け用の足部９が設けられている。また、第２の手摺部６は、この環状部材を鈎状に屈曲させて形成され、この鈎状の屈曲部を取付け用の足部１０としている。第２の手摺部６の中途部には、また、取付け用の足部１１が設けられている。これらの取付け用の足部９、１０、１１の先端には、それぞれ、ブラケット１３が設けられている。
【００２０】
第１の手摺部５の前端部は、便器１の着座部１ａの側に屈曲された屈曲部１２を有し、屈曲部１２は、図１、図４に示すように、全体として便器１の着座部１ａの方向に屈曲している。屈曲部１２には、第２の手摺部６の下端部が水平方向に回転可能に連結され、第１の手摺部５と第２の手摺部６とは一体化されて便器１付近の壁面３に取付けられる。第１の手摺部５と第２の手摺部６との連結構造を図９及び図１０に示す。図９及び図１０に示すように、第２の手摺部６の円形管材７の下端部には連結部材１４が挿入され、連結部材１４は、第２の手摺部６の円形管材７の側面から螺合したねじ部材１５、１６によって、第２の手摺部６の円形管材７に固定される。連結部材１４の周面にはフランジ部１７が形成され、第２の手摺部６の下端面はフランジ部１７の上に載置される。連結部材１４の下端部には筒状の突起部１８が形成され、筒状の突起部１８は第１の手摺部５の屈曲部１２の上面に形成された開口１９から、第１の手摺部５の円形管材７の内部に挿入される。そして、連結部材１４の突起部１８には、第１の手摺部５の円形管材７の下面からねじ部材２０が螺合し、これによって第２の手摺部６は第１の手摺部５に対して水平方向に回転自在に連結される。
【実施例２】
【００２１】
図１１乃至図１４は本発明の第２実施例の補助手摺４０を示し、これらの図中、第１図乃至第１０図と同一の参照符号は同一の構成要素を示す。補助手摺４０の特徴は、上下方向に延在する第２の手摺部６に加えて、第２の手摺部６とほぼ平行に延在する第３の手摺部２１を併設したことにある。第３の手摺部２１は第２の手摺部６と同様の形態を有する。第３の手摺部２１は、第２の手摺部６よりも便器１の近傍に配置され、第３の手摺部２１の下端部は、第１の手摺部５の屈曲部１２よりも後方位置で第１の手摺部５に連結される。すなわち、第３の手摺部２１は、第２の手摺部６よりもトイレブース２の後部壁面４３側に配置され、第３の手摺部２１と第２の手摺部６の間には、使用者がその上体の一部を挿入することができるように、空間部Ｖが形成される。
【００２２】
第３の手摺部２１と第１の手摺部５との連結構造は、図９及び図１０に示した構造にすることができる。第３の手摺部２１の構成は、第１の手摺部５及び第２の手摺部６と同様に、円形管材７の周面に樹脂層８を被覆して、全体として楕円形の断面形状をなすことができる。第３の手摺部２１は、第２の手摺部６と同様に、取付け用の足部２２、２３を有し、これらの足部２２、２３の先端には取付け用のブラケット１３が設けられている。このような構成を有する補助手摺４０は、第１実施例と同様に、壁面３に取付けられる。これにより、補助手摺４０の第１の手摺部５は便器１の着座部１ａに対してほぼ水平方向に延在し、第２の手摺部６と第３の手摺部２１は便器１の着座部１ａに対してほぼ垂直方向に延在する。
【００２３】
図１２及び図１３に記載されているように、便器１を挟んで補助手摺４０の反対側には、もう一つの補助手摺４１を設けることができる。補助手摺４１はトイレブース２の床面４２と後部壁面４３とに固定され、便器１の使用者が便器１に容易に接近することができるように、便器１の前端部１ｂよりも後部壁面４３側に配置される。補助手摺４１の設置は任意である。
【００２４】
上記実施例１及び２において、便器１の使用者は補助手摺４、４０の手摺部５、６に掴まりながら便座１ａの近傍に達し、手摺部５、６、２１にもたれて着衣を脱ぐことができる。次いで、手摺部５、６、２１に掴まりながら便座１ａに着座する。手摺部５、６は同一の太さ及び形状の管材によって形成され、かつ、これらの管材は互いに連続しているから、使用者はそれぞれの手摺部５、６を滑らかに持ち替えながら便座１ａに着座することができる。このとき、実施例２においては、手摺部２１を使用することもできる。
【００２５】
次に、使用者が便座１ａから立ち上がるときには、手摺部１の屈曲部１２を掴んで体を前方に引き出し、その後、手摺部６を掴んで立ち上がることができる。屈曲部１２は使用者の前方に突出しているから、使用者が屈曲部１２を掴んで便座１ａから離れる動作は容易である。立ち上がった使用者は、手摺部５の屈曲部１２や手摺部６に体をもたれて着衣を直すことができる。実施例２の場合には、使用者は手摺部２１を掴んで便座１ａから直接立ち上がることもできる。また、実施例２では、便座１ａから立ち上がった使用者は、図１６に示すように、手摺部６と手摺部２１の間の空間に肩部を挿入して体を保持することができるから、この状態で着衣を容易に直すこともできる。
【００２６】
図１２及び図１３に示した補助手摺４１は、使用者の右手に機能障害がない場合に適宜使用される。
【産業上の利用可能性】
【００２７】
本発明の補助手摺は、病院や公共施設等のトイレブースに設置可能であるが、その他、一般の椅子やテーブルの側に設置することもできる。
【図面の簡単な説明】
【００２８】
【図１】本発明の補助手摺をトイレブース内に設置した状態の斜視図である。
【図２】本発明の補助手摺をトイレブース内に設置した状態の正面図である。
【図３】本発明の補助手摺の正面図である。
【図４】本発明の補助手摺の平明図である。
【図５】図３の補助手摺の右側面図である。
【図６】図３の補助手摺の背面図である。
【図７】図３のＡ−Ａ線に沿う断面図である。
【図８】図３のＢ−Ｂ線に沿う断面図である。
【図９】図３のＣ部分の縦断面図である。
【図１０】図９のＤ−Ｄ方向に沿う断面図である。
【図１１】上下方向に延在する二本の手摺部を有する本発明の補助手摺をトイレブースに設置した状態の正面図である。
【図１２】図１１に示した補助手摺に加えて、他の補助手摺を設置したトイレブースの平面図である。
【図１３】図１２に示した他の補助手摺の正面図である。
【図１４】図１１に示した補助手摺の使用状態を説明する斜視図である。
【符号の説明】
【００２９】
１    便器
１ａ  便座
２    トイレブース
３    壁面
４    補助手摺
５    第１の手摺部
６    第２の手摺部
１２  屈曲部
２１  第３の手摺部
４０  補助手摺
４１  他の補助手摺
４２  床面
４３  後部壁面
【図１】
2005111114.tif 000003
【図２】
2005111114.tif 000004
【図３】
2005111114.tif 000005
【図４】
2005111114.tif 000006
【図５】
2005111114.tif 000007
【図６】
2005111114.tif 000008
【図７】
2005111114.tif 000009
【図８】
2005111114.tif 000010
【図９】
2005111114.tif 000011
【図１０】
2005111114.tif 000012
【図１１】
2005111114.tif 000013
【図１２】
2005111114.tif 000014
【図１３】
2005111114.tif 000015
【図１４】
2005111114.tif 000016
【手続補正書】
【提出日】平成15年10月14日(2003.10.14)
【手続補正１】
【補正対象書類名】図面
【補正対象項目名】全図
【補正方法】変更
【補正の内容】
【図１】
2005111114.tif 000017
【図２】
2005111114.tif 000018
【図３】
2005111114.tif 000019
【図４】
2005111114.tif 000020
【図５】
2005111114.tif 000021
【図６】
2005111114.tif 000022
【図７】
2005111114.tif 000023
【図８】
2005111114.tif 000024
【図９】
2005111114.tif 000025
【図１０】
2005111114.tif 000026
【図１１】
2005111114.tif 000027
【図１２】
2005111114.tif 000028
【図１３】
2005111114.tif 000029
【図１４】
2005111114.tif 000030